(57)【要約】【課題】  本発明は、スリッタナイフにより段ボールシートを切断するスリッタに関し、良好なスリッティングを実現させるとともに、スリッタナイフを長寿命化できるようにする。【解決手段】  段ボールシート（１）を切断するナイフ（１１）と、ナイフ（１１）を超音波振動させる超音波加振手段とをそなえるように構成する。【選択図】  図１
2005059189.tif 000002
【特許請求の範囲】
【請求項１】
段ボールシートを走行方向に切断するスリッタであって、
該段ボールシートを切断するナイフと、
該ナイフを超音波振動させる超音波加振手段とをそなえて構成されていることを特徴とする、スリッタ。
【請求項２】
該超音波加振手段が、該ナイフに結合された超音波振動子をそなえて構成されていることを特徴とする、請求項１記載のスリッタ。
【請求項３】
該ナイフが円板状に形成され、
上記円板状ナイフを固設された回転軸と、
該回転軸に接続され、該回転軸及び上記円板状ナイフを回転駆動する回転駆動手段とをそなえて構成されていることを特徴とする、請求項２記載のスリッタ。
【請求項４】
該超音波振動子が、上記円板状ナイフの側面に直接固設されていることを特徴とする、請求項３記載のスリッタ。
【請求項５】
該超音波振動子を複数そなえ、上記複数の超音波振動子が上記円板状ナイフの周方向に互いに等間隔となるように設けられていることを特徴とする、請求項４記載のスリッタ。
【請求項６】
該超音波振動子の電源が、上記円板状ナイフに取り付けられたバッテリであることを特徴とする、請求項４又は５記載のスリッタ。
【請求項７】
超音波振動が上記円板状ナイフの周方向に印加されることを特徴とする、請求項２〜６のいずれか１項に記載のスリッタ。
【請求項８】
超音波振動が上記円板状ナイフの径方向に印加されることを特徴とする、請求項２〜７のいずれか１項に記載のスリッタ。
【請求項９】
該段ボールシートを挟んで該ナイフと対向する位置に該ナイフに対する受け部材がそなえられていることを特徴とする、請求項１〜８のいずれか１項に記載のスリッタ。
【発明の詳細な説明】
【技術分野】
【０００１】
本発明は、段ボールシートを走行方向に切断するスリッタに関する。
【背景技術】
【０００２】
段ボールシートを製造するコルゲータにおいて、コルゲータラインで連続的に製造された幅広の段ボールシートが、スリッタスコアラに送られて、スリッタで流れ方向に所定の幅の幅狭ウェブ（通常は複数のウェブ）に切断され、スコアラ（罫入れ装置）で段ボールシートを折り曲げ易くするための罫線加工（又は罫入れともいう）が施される。なお、以下、スリッタで段ボールシートを流れ（走行）方向に所定の幅の幅狭ウェブに切断することをスリッティングともいう。
【０００３】
図７は従来の一般的な自走式のスリッタスコアラの構成の一部を示す模式的側面図である。図７に示すように、切断対象物が段ボールシート１であるスリッタ７０をそなえたスリッタスコアラには、上流罫線装置６０及び下流罫線装置６１がフレーム６２を中心に対向して配設されている。そして、これら上下罫線装置６０，６１の段ボールシート１の走行方向（図中の矢印Ａ）下流側に、段ボールシート１を走行方向に切断（スリッティング）するためのスリッタ７０が設けられている。このスリッタ７０は受けロール７１と円板状のスリッタナイフ７２とをそなえ、受けロール７１とスリッタナイフ７２とが段ボールシート１を挟むようにして対になって配設されている。スリッタナイフ７２は、回転シャフト７３に固接されており、回転シャフト７３には回転駆動機構（図示略）が接続されている。これにより、スリッタナイフ７２は回転シャフト７３とともに回転駆動されながら段ボールシート１をスリッティングするようになっている。また、スリッタ７０の段ボールシート１走行方向下流直近には切断後のトリムを排出するトリムダクト６４が設けられている。
【０００４】
上流罫線装置６０，下流罫線装置６１及びスリッタ７０は段ボールシート１の幅方向に複数組設けられており（４丁取の場合には、通常、罫線が８組、スリッタが５組）、同時に複数の罫線加工と断裁（スリッティング）加工が行なわれる。
図８は罫線加工及び丁取りの状況を示す平面図であって、４丁取りの例を示している。図８に示すように、両側面に立設された架構６５，６６にフレーム６２が固定されており、フレーム６２には、段ボールシート１の幅方向にレール６３が固定されている。図８中の矢印Ａは段ボールシート１の走行方向を示す。
【０００５】
なお、上流罫線装置６０，下流罫線装置６１はレール６３に沿って移動し、段ボールシート１における幅方向の任意の位置に設定できるようになっており、スリッタ７０も同様に任意の位置に設定可能に構成されている。
そして、コルゲータラインから段ボールシート１がスリッタスコアラに導入されると、上流罫線装置６０及び下流罫線装置６１で各々罫線加工が行われ、スリッタ７０によってスリッティングされる。このとき、段ボールシート１の所定の幅よりも広い部分、即ち、両端の耳部が帯状に切断されるとともにトリムダクト６４で吸引処理され、所望の段ボールシート１が加工されて次工程に送られるようになっている。
【０００６】
このようなスリッタスコアラのスリッタ７０では、スリッタナイフ７２が回転されながら走行する段ボールシート１を切断するため、どうしてもスリッタナイフ７２に切断荷重がかかるとともに、切断時に摩擦が発生するため、スリッタナイフ７２の寿命が短くなってしまう。また、これら切断荷重や切断時の摩擦等の切断抵抗によって、スリッタナイフ７２の位置ずれが発生したり、刃先が磨耗したりするため、スリッタナイフ７２をある程度稼動させると位置調整や刃先を研磨するメンテナンスが必要となる。さらに、このようなスリッタ７０では、段ボールシート１が下方からスリッタナイフ７２により切断されるため、切断後、段ボールシート１の上面にはかえりが発生してしまったり、切断時の摩擦抵抗により段ボールシート１を構成するライナと中芯とが剥離してしまったりして、製造された段ボールシート１の品質が悪化してしまうことがある。
【０００７】
ところで、切断対象物を切断する切断装置において、切断対象物を良好に切断するために、ナイフに超音波振動を印加させながら切断対象物を切断する技術が開発されている（例えば、特許文献１〜５）。
ここで、特許文献１〜３の技術は、切断対象物を切断するナイフが円板状に形成されているものであり、特許文献１の技術は、その被切断物（切断対象物）がパン類，洋菓子，和菓子及び青果等の柔らかい材質であり、円形刃体に超音波振動を印加させることにより、切断時に切断対象物が損傷されたり切断対象物が刃体への粘着したりするようなことを防止して、良好な切断を実現したものである。また、特許文献２の技術は、切断対象物がステンレス鋼等のように硬い材質であり、通常の切断装置では切断が困難な切断対象物に対して、ディスク型カッタに超音波振動を与えることにより、切断対象物を容易に切断できるようにしたものである。また、特許文献３の技術は、切断対象物が半導体チップ等であり、正確な切断が要求される切断対象物に対して、超音波振動に共振する共振器をカッタに着脱自在に取り付けることにより、切断対象物の良好な切断を実現したものである。
【０００８】
また、特許文献４，５の技術は、切断対象物を切断するナイフが棒状の一般的なナイフ形状に形成され、ナイフが刃先方向に往復動するように構成されているものであり、特許文献４の技術は、樹脂系材料，成形材料，ガラス，石材，セラミックス及び金属材料等の比較的硬く切断が困難な切断対象物に対して、加工刃を超音波振動させることにより、切断に伴って発生する摩擦熱や粉塵を抑制することを実現したものである。また、特許文献５の技術は、紙やプラスチックフィルム等のウェブ材料が切断対象物であり、切断工具に超音波振動を印加することにより、切断時の毛羽の発生を防止することを実現したものである。
【特許文献１】特開平５−２３９９６号公報
【特許文献２】特開平６−２０６１１６号公報
【特許文献３】特開平９−２７７２００号公報
【特許文献４】特開２００１−３３４４９４号公報
【特許文献５】特開２００２−１０３２７１号公報
【発明の開示】
【発明が解決しようとする課題】
【０００９】
ところで、上述のように、超音波振動を利用した切断は、一般には、切断が難しい柔らかい材質のものや、逆に硬すぎて切断が困難なものに適用することで、良好な切断を実現するのに有効であるが、段ボールシートの切断に有効であるかは、従来、論じられてはおらず、段ボールシートを切断する際に、ナイフに超音波振動を印加する点についても何ら着目されていない。特に、段ボールシートは段繰り形成された中芯の段頂部にライナを張り合わせて構成されたものであるため、特許文献５に提案されている紙やプラスチックフィルムのような単なるシートとは異なるものであり、超音波振動を利用した切断を段ボールシートに適用して有効であるか否かは、明らかではなかった。
【００１０】
そこで、我々は、段ボールシートを切断（スリッティング）するナイフに超音波振動を印加させる試験を行なって、これを確認した。これによると、上記の図７に示したような従来のスリッタで段ボールシートを切断した場合よりも良好に段ボールシートを切断することができることが判明した。
本発明は、上述の課題に鑑み創案されたもので、スリッタのスリッタナイフによる段ボールシート切断に超音波振動を利用することにより切断抵抗を低減させて、良好なスリッティングを実現させるとともに、スリッタナイフを長寿命化できる、スリッタを提供することを目的とする。
【課題を解決するための手段】
【００１１】
このため、本発明のスリッタは、段ボールシートを走行方向に切断するスリッタであって、該段ボールシートを切断するナイフと、該ナイフを超音波振動させる超音波加振手段とをそなえて構成されていることを特徴としている（請求項１）。
なお、該超音波加振手段が、該ナイフに結合された超音波振動子をそなえて構成されていることが好ましい（請求項２）。
【００１２】
また、該ナイフが円板状に形成され、上記円板状ナイフを固設された回転軸と、該回転軸に接続され、該回転軸及び上記円板状ナイフを回転駆動する回転駆動手段とをそなえて構成されていることが好ましい（請求項３）。
さらに、該超音波振動子が、上記円板状ナイフの側面に直接固設されていることが好ましい（請求項４）。
【００１３】
なお、該超音波振動子を複数そなえ、上記複数の超音波振動子が上記円板状ナイフの周方向に互いに等間隔となるように設けられていることが好ましい（請求項５）
また、該超音波振動子の電源が、上記円板状ナイフに取り付けられたバッテリであることが好ましい（請求項６）。
さらに、超音波振動が上記円板状ナイフの周方向及び／又は径方向に印加されることが好ましい（請求項７，８）。
【００１４】
なお、該段ボールシートを挟んで該ナイフと対向する位置に該ナイフに対する受け部材がそなえられていることが好ましい（請求項９）。
【発明の効果】
【００１５】
以上より、本発明のスリッタによれば、スリッタのスリッタナイフの刃面が確実に超音波振動されるため、スリッタナイフが段ボールシートに対して当たる当たらないの繰り返しが非常に微小な周期で繰り返され、切断時の切断抵抗が大きく低減される。その結果、スリッタナイフによる段ボールシートの切断が容易に行なわれるようになるとともに、切断される段ボールシートの切断面がきれいになる。
【００１６】
また、切断時の摩擦が大幅に低減されるため、スリッタナイフの刃面が磨耗するようなことが抑制され、さらに、切断時にスリッタナイフにかかる切断荷重も低減されるため、スリッタナイフの位置ずれが生じるようなことが抑制される。したがって、スリッタナイフの刃面を研磨したり、スリッタナイフの位置調整を行なったりするようなメンテナンスを行なう必要がほとんどなくなり、スリッタナイフを長寿命化することができる。
【００１７】
また、超音波加振手段がスリッタナイフに直接固設され、スリッタナイフの刃面に直接超音波振動が印加されるため、超音波加振手段により発生される超音波振動を、切断系全体を超音波振動させるように強くしたり振幅を拡大したりする必要がなくなり、効率的にスリッタナイフを超音波振動させることができる。
さらに、超音波振動がスリッタナイフに直接印加される構成であるため、切断対象物の特性等に応じて、スリッタナイフに印加される超音波振動の特性（例えば、強さ，振幅，発生方向等）を容易に調整又は変更することができ、より効率的に上述した効果を得ることができる。
【発明を実施するための最良の形態】
【００１８】
以下、図面により、本発明の実施の形態について説明する。
［第１実施形態］
まず、本発明の第１実施形態について説明すると、図１は本発明の第１実施形態としてのスリッタを示すもので、（ａ）はその模式的な側面図、（ｂ）は（ａ）のＸ−Ｘ断面図である。
【００１９】
図１（ａ），（ｂ）に示すように、本実施形態のスリッタ１０には、段ボールシート１の下側に円板状に形成されたスリッタナイフ（以下、円板状ナイフという）１１と、段ボールシート１を挟んで円板状ナイフ１１と対向する位置には円板状ナイフ１１に対する受け部材としての受けロール１２とが設けられている。
円板状ナイフ１１は、回転軸１３に固設されており、回転軸１３の軸端には駆動モータ１４が直接接続され、この駆動モータ１４により回転軸１３及び円板状ナイフ１１が矢印Ｂに示す方向に回転駆動される。また、円板状ナイフ１１の一方の側面には、超音波振動子２０ａが固定用板２１ａを介して、ボルト２２ａで結合され、この超音波振動子２０ａと円板状ナイフ１１の周方向に互いに等間隔となる位置には、超音波振動子２０ｂが固定用板２１ｂを介してボルト２２ｂにより結合されている。また、円板状ナイフ１１の他方の側面の超音波振動子２０ａと対向する位置には、電源（バッテリ）２３ａが取り付けられ、超音波振動子２０ａに電気が供給されるようになっており、これと同様に、円板状ナイフ１１の他方の側面の超音波振動子２０ｂと対向する位置には、電源（バッテリ）２３ｂが取り付けられている。これら電源２３ａ，２３ｂには、小型電池が用いられている。
【００２０】
なお、これら超音波振動子２０ａ，２０ｂ，固定用板２１ａ，２１ｂ，ボルト２２ａ，２２ｂ，電源２３ａ，２３ｂが、超音波加振手段として機能する。
また、受けロール１２は、軸１５にベアリング１６を介して回転自在に嵌合され、段ボールシート１に当接しながら、段ボールシート１の走行に従動して矢印Ｃに示す方向に回転するようになっている。この受けロール１２が、円板状ナイフ１１と対向して段ボールシート１を支持することにより、円板状ナイフ１１の切断力が段ボールシート１に効率良く加えられるようになっている。そして、受けロール１２の段ボールシート１と接する周面上には、全長にわたって溝１２ａが設けられている。この溝１２ａにより、段ボールシート１のスリッティングの際に、下方から上方に飛び出す円板状ナイフ１１の刃先が受けロール１２に接触しないようになっている。つまり、図１（ｂ）に示すように、飛び出した円板状ナイフ１１の刃先は、受けロール１２の溝１２ａ内に収納されるのである。
【００２１】
なお、回転軸１３はその両端をフレーム（図示略）にベアリング等（図示略）を介して回転自在に支持されおり、軸１４はその両端をフレーム（図示略）に支持されている。
このような構成により、円板状ナイフ１１が駆動モータ１４により回転されながら走行する段ボールシート１をスリッティングする際に、円板状ナイフ１１の側面に直接固設された超音波振動子２０ａ，２０ｂによって、円板状ナイフ１１の側面に直接超音波振動が印加され、円板状ナイフ１１の刃先のエッジ側面（以下、単に刃面という）１１ａが超音波振動されるようになっている。このとき、受けロール１２により、円板状ナイフ１１のスリッティングによって段ボールシート１が走行ラインよりも上方に外れてしまうことが抑制される。
【００２２】
ここで、本実施形態のスリッタ１０では、スリッティング時に超音波振動が確実に円板状ナイフ１１の刃面１１ａに印加されるように、超音波加振手段と円板状ナイフ１１の刃面１１ａとの距離が出来る限り近づくように構成されている。つまり、超音波加振手段が、円板状ナイフ１１による段ボールシート１の切断に支障を来たさない範囲で、円板状ナイフ１１の刃面１１ａにより近い位置にそなえられている。
【００２３】
なお、円板状ナイフ１１の刃面１１ａに印加される超音波振動の方向は、円板状ナイフ１１の周方向に印加されるように構成してもよいし、円板状ナイフ１１の径方向に印加されるように構成してもよいし、さらには、円板状ナイフ１１の周方向及び径方向に印加されるように構成してもよい。
また、円板状ナイフ１１に印加される超音波振動の周波数は一定でもよいし、変動されるように構成してもよい。
【００２４】
本発明の第１実施形態としてのスリッタは、上述のように構成されているので、２つの超音波加振手段により、円板状ナイフ１１の側面に直接超音波振動が印加され、円板状ナイフ１１の刃面１１ａが確実に超音波振動されるため、円板状ナイフ１３が段ボールシート１に対して当たる当たらないの繰り返しが非常に微小な周期で繰り返され、切断時の切断抵抗が大きく低減される。その結果、円板状ナイフ１１による段ボールシート１の切断が容易に行なわれるようになるとともに、切断される段ボールシート１の切断面がきれいになる。また、切断時の摩擦が大幅に低減されるため、円板状ナイフ１１の刃面１１ａが磨耗するようなことが抑制され、さらに、切断時に円板状ナイフ１１にかかる切断荷重も低減されるため、円板状ナイフ１１の位置ずれが生じるようなことが抑制される。したがって、図７に示したような従来のスリッタのように、円板状ナイフ１１の刃面１１ａを研磨したり、円板状ナイフ１１の位置調整を行なったりするようなメンテナンスを行なう必要がほとんどなくなり、円板状ナイフ１１を長寿命化することができる。
【００２５】
また、超音波加振手段が円板状ナイフ１１に直接固設され、円板状ナイフ１１の刃面１１ａに直接超音波振動が印加されるため、超音波加振手段により発生される超音波振動を、切断系全体を超音波振動させるように強くしたり振幅を拡大したりする必要がなくなり、効率的に円板状ナイフ１１を超音波振動させることができる。さらに、超音波振動が円板状ナイフ１１に直接印加される構成であるため、切断対象物の特性等に応じて、円板状ナイフ１１に印加される超音波振動の特性（例えば、強さ，振幅，発生方向等）を容易に調整又は変更することができ、より効率的に上述した効果を得ることができる。
【００２６】
なお、本実施形態では、円板状ナイフ１１の側面に２つの超音波加振手段を直接取り付けるように構成したが、円板状ナイフ１１の側面に取り付ける超音波加振手段の数は限定されるものではなく、例えば、図２に示すように、１つの超音波加振手段を円板状ナイフ１１の側面に本実施形態と同様に取り付けるようにしてもよいし、図３に示すように、５つの超音波加振手段（即ち、５つの超音波振動子２０ａ〜２０ｅ）を円板状ナイフ１１の周面上に互いに等間隔になるように取り付けてもよい。
【００２７】
［第２実施形態］
次に、本発明の第２実施形態について説明すると、図４は本発明の第２実施形態としてのスリッタを示すもので、（ａ）はその模式的な側面図、（ｂ）は（ａ）のＹ−Ｙ断面図である。なお、本実施形態において、上記第１実施形態と同符号のものは同様のものを示す。
【００２８】
図２（ａ），（ｂ）に示すように、本実施形態にかかるスリッタ１０の主構成は上記第１実施形態とほぼ同様であるが、本実施形態では、スリッタ１０の円板状ナイフ１１が固設される回転軸１３に超音波加振手段が取り付けられている点で上記第１実施形態とは異なっている。したがって、ここでは、かかるスリッタ１０の主構成については説明を省略し、その変更部分について以下に詳述する。
【００２９】
本実施形態のスリッタ１０では、回転軸１３に円板状ナイフ１１が固設され、回転軸の一方端には、駆動モータ１４が直結されている。また、回転軸１３の他方端には、超音波振動子２０が固定用板２１を介してボルト２２により固設されている。そして、この超音波振動子２０にはブラシ２５を介して電源２４が接続されており、ブラシ２５が摺動されることにより、電源２４から超音波振動子２０に電気が供給されるようになっている。
【００３０】
なお、本実施形態においても、超音波振動子２０，固定用板２１，ボルト２２，電源２４が超音波加振手段として機能するように構成されている。
また、本実施形態にかかるスリッタ１０のその他の構成は上記第１実施形態と同様であるため、その詳細な説明は省略する。
なお、本実施形態においても、円板状ナイフ１１の刃面１１ａに印加される超音波振動の方向は、円板状ナイフ１１の周方向に印加されるように構成してもよいし、円板状ナイフ１１の径方向に印加されるように構成してもよいし、さらには、円板状ナイフ１１の周方向及び径方向に印加されるように構成してもよい。
【００３１】
また、円板状ナイフ１１に印加される超音波振動の周波数は一定でもよいし、変動されるように構成してもよい。
ここで、本実施形態のスリッタ１０では、スリッティング時に超音波振動が確実に円板状ナイフ１１の刃面１１ａに印加されるように、回転軸１３の超音波振動子２０が固設されている側を出来るだけ短く構成（即ち、円板状ナイフ１１と固定用板２１との間の回転軸１３の幅を出来るだけ短く構成）して、超音波振動子２０と円板状ナイフ１１との距離が短くなるように構成されている。
【００３２】
さらに、スリッティング時に円板状ナイフ１１の刃面１１ａが確実に超音波振動されるように、回転軸１３の径を大きく構成して、円板状ナイフ１１が段ボールシート１を切断するのに支障を来たさない範囲で、円板状ナイフ１１側面の略全面を覆うように構成することにより、回転軸１３と円板状ナイフ１１の刃面１１ａとの距離が出来る限り近づくように構成されている。
【００３３】
本発明の第２実施形態としてのスリッタは、上述のように構成されているので、超音波加振手段により円板状ナイフ１１に直接超音波振動が印加され、確実に円板状ナイフ１１の刃面１１ａが超音波振動されるため、上記第１実施形態と同様の作用効果を得ることができる。
なお、本実施形態では、回転軸１３を介して超音波加振手段を円板状ナイフ１１に固設するように構成したが、図５（ａ），（ｂ）に示すように、円板状ナイフ１１の一方の側面に回転軸１３が接続され、他方の側面の回転軸１３と対向する位置（即ち、円板状ナイフ１１の中心位置）に超音波加振手段が直接取り付けられるように構成してもよい。
【００３４】
［第３実施形態］
次に、本発明の第３実施形態について説明すると、図６は本発明の第３実施形態としてのスリッタを示すもので、（ａ）はその模式的な側面図、（ｂ）は（ａ）のＷ−Ｗ断面図である。
図６（ａ），（ｂ）に示すように、本実施形態のスリッタ３０は、段ボールシート１の下側に棒状の一般的なナイフ形状に構成されたスリッタナイフ（以下、単にナイフという）３１が設けられ、段ボールシート１を挟んでナイフ３１と対向する位置にはナイフ３１に対する受け部材としての受け板３２が設けられている。
【００３５】
ナイフ３１はナイフ固定用板３３に接続されており、このナイフ固定用板３３は、超音波振動子４０を接続された超音波振動子固定用板４１とボルト４２によって接続されている。さらに、超音波振動子４０には揺動シャフト３４を介して揺動装置３５が接続されている。なお、揺動シャフト３４はボルト４３によって超音波振動子４０に接続されている。また、超音波振動子４０には、電源（バッテリ）４４が接続されている。
【００３６】
揺動装置３５は、フレーム等（図示略）に固定されており、揺動シャフト３４と協働して、両矢印Ｄに示すように段ボールシート１に対して上下方向（ナイフ３１の刃先方向前後）にナイフ３１を揺動（往復動）させる装置である。これにより、ナイフ３１は揺動（往復動）されながら段ボールシート１をスリッティングするようになっている。
また、超音波加振手段としての超音波振動子４０，超音波振動子固定用板４１，ボルト４２，４３，電源４４は、上記第１実施形態と同様のものを用いることができ、この超音波加振手段により、ナイフ３１に直接超音波振動が印加され、ナイフ３１の刃面３１ａが確実に超音波振動される。
【００３７】
なお、ナイフ３１に印加される超音波振動の方向は、ナイフ３１の刃先方向（即ち、揺動シャフト３４及び揺動装置３５によるナイフ３１の揺動方向と同方向）でもよいし、これと直行する方向（即ち、ナイフの幅方向）でもよいし、さらには、ナイフ３１に対してねじり方向でもよい。また、ナイフ３１に印加される超音波振動の周波数は一定でもよいし、変動されるように構成してもよい。
【００３８】
受け板３２は、受け板３２ａ，３２ｂで構成され、フレーム等（図示略）に接続されて段ボールシート１の上面に当接する位置に固定されている。受け板３２ａと受け板３２ｂとの間には所定の隙間が設けられており、ナイフ３１のスリッティングの際には、この隙間に下方から飛び出したナイフ３１の刃先が入り込むようになっており、ナイフ３１と受け板３２ａ，３２ｂとは互いに接触しないようになっている。
【００３９】
本発明の第３実施形態としてのスリッタは、上述のように構成されているので、ナイフ３１が揺動装置３５及び揺動シャフト３４により刃先方向に揺動されながら走行する段ボールシート１をスリッティングする際に、超音波振動子２０によりナイフ３１の刃面３１ａが直接超音波振動されるため、上記第１実施形態と同様の作用効果を得ることができる。
【００４０】
以上、本発明の実施形態について説明したが、本発明はこれらの実施形態に限定されるものではなく、本発明の趣旨を逸脱しない範囲で種々変形して実施することができる。
例えば、上記第１，第２実施形態において、回転軸１３に駆動モータ１４を直接接続するように構成したが、ギアやシャフトを介して駆動モータ１４を回転軸１３に接続するようにしてもよい。
【００４１】
また、上記第１，第２実施形態において、受けロール１２が段ボールシート１の走行に従動して回転されるように構成したが、受けロール１２を軸１５に固設して、軸１５を回転駆動手段により回転駆動させることにより、受けロール１２が段ボールシート１の走行速度と略同速度に回転駆動されるように構成してもよい。
【図面の簡単な説明】
【００４２】
【図１】本発明の第１実施形態としてのスリッタを示す図あり、図１（ａ）はその模式的な側面図、図１（ｂ）は図１（ａ）のＸ−Ｘ断面図である。
【図２】本発明の第１実施形態としてのスリッタの変形例の模式的な側面図である。
【図３】本発明の第１実施形態としてのスリッタの変形例の模式的な側面図である。
【図４】本発明の第２実施形態としてのスリッタを示す図あり、図４（ａ）はその模式的な側面図、図４（ｂ）は図４（ａ）のＹ−Ｙ断面図である。
【図５】本発明の第２実施形態としてのスリッタの変形例を示す図あり、図５（ａ）はその模式的な側面図、図５（ｂ）は図５（ａ）のＺ−Ｚ断面図である。
【図６】本発明の第３実施形態としてのスリッタを示す図あり、図６（ａ）はその模式的な側面図、図６（ｂ）は図６（ａ）のＷ−Ｗ断面図である。
【図７】従来からの一般的な自走式のスリッタスコアラの構成の一部を示す模式的な側面図である。
【図８】スリッタスコアラにより罫線加工と丁取りを行なう状況を示す平面図である。
【符号の説明】
【００４３】
１    段ボールシート
１０，３０，７０    スリッタ
１１，７２    円板状ナイフ（スリッタナイフ）
１１ａ，３１ａ    刃面
１２，７１    受けロール（受け部材）
１２ａ    溝
１３，７３    回転軸
１４    駆動モータ
１５    軸
１６    ベアリング
２０，２０ａ〜２０ｅ，４０    超音波振動子
２１，２１ａ〜２１ｂ    固定用板
２２，２２ａ〜２２ｂ，４２，４３    ボルト
２３，２３ａ〜２３ｂ，４４    電源（バッテリ）
２４    電源
２５    ブラシ
３１    片刃ナイフ
３２，３２ａ，３２ｂ    受け板（受け部材）
３３    ナイフ固定用板
３４    揺動シャフト
３５    揺動装置
４１    超音波振動子固定用板
６０    上流罫線装置
６１    下流罫線装置
６２    フレーム
６３    レール
６４    トリムダクト
６５，６６    架構
【図１】
2005059189.tif 000003
【図２】
2005059189.tif 000004
【図３】
2005059189.tif 000005
【図４】
2005059189.tif 000006
【図５】
2005059189.tif 000007
【図６】
2005059189.tif 000008
【図７】
2005059189.tif 000009
【図８】
2005059189.tif 000010